(57)【要約】【課題】プラズマディスプレイパネルの駆動時に切り換え素子の発熱特性の不均衡を改善させられるプラズマディスプレイ装置及びその駆動方法を提供する。【解決手段】本発明に係るプラズマディスプレイ装置は、画像が表示されるプラズマディスプレイパネルと、前記プラズマディスプレイパネルに維持パルスを供給するための複数のエネルギー回収回路と、を含み、前記複数のエネルギー回収回路は、異なるサブフィールドの維持期間に維持パルスを前記プラズマディスプレイパネルにそれぞれ独立的に供給することを特徴とする。【選択図】図６
2006189829.tif 000002
【特許請求の範囲】
【請求項１】
画像が表示されるプラズマディスプレイパネルと、
前記プラズマディスプレイパネルに維持パルスを供給するための複数のエネルギー回収回路と、を備え、
前記複数のエネルギー回収回路は、異なるサブフィールドの維持期間に維持パルスを前記プラズマディスプレイパネルにそれぞれ独立的に供給することを特徴とする、
プラズマディスプレイ装置。
【請求項２】
前記複数のエネルギー回収回路は、２つであることを特徴とする請求項１記載のプラズマディスプレイ装置。
【請求項３】
前記複数のエネルギー回収回路は、第１のエネルギー回収回路と第２のエネルギー回収回路とよりなり、
前記第１のエネルギー回収回路は、奇数番目のサブフィールドの維持期間に維持駆動パルスを前記プラズマディスプレイパネルに供給し、
前記第２のエネルギー回収回路は、偶数番目のサブフィールドの維持期間に維持駆動パルスを前記プラズマディスプレイパネルに供給することを特徴とする、
請求項２記載のプラズマディスプレイ装置。
【請求項４】
前記第１のエネルギー回収回路から前記プラズマディスプレイパネルへの維持駆動パルスの入力端、および前記第２のエネルギー回収回路から前記プラズマディスプレイパネルへの維持駆動パルスの入力端は、互いに共通接続されて前記プラズマディスプレイパネルに接続されることを特徴とする、請求項３記載のプラズマディスプレイ装置。
【請求項５】
前記エネルギー回収回路は、
前記プラズマディスプレイパネルにエネルギーを供給及び回収するためのエネルギー供給／回収部と、
前記プラズマディスプレイパネルに維持電圧及びグランドレベルを供給する維持電圧源と第３及び第４のスイッチ群とを含む維持電圧源部と、
を有することを特徴とする請求項１記載のプラズマディスプレイ装置。
【請求項６】
前記第３及び第４のスイッチ群は、前記プラズマディスプレイパネルと前記エネルギー供給／回収部との間に並列接続されることを特徴とする、請求項５記載のプラズマディスプレイ装置。
【請求項７】
前記エネルギー供給／回収部は、
前記プラズマディスプレイパネルにソース電圧源に蓄積されているエネルギーを共振により供給及び回収するためのインダクタと、
前記インダクタを介して前記プラズマディスプレイパネルにエネルギーが供給及び回収されるように切り換え動作を行う第１及び第２のスイッチ群と、
を有することを特徴とする請求項５記載のプラズマディスプレイ装置。
【請求項８】
前記第１及び第２のスイッチ群は、前記ソース電圧源とインダクタとの間に並列接続されることを特徴とする、請求項７記載のプラズマディスプレイ装置。
【請求項９】
画像が表示されるプラズマディスプレイパネルと、
前記プラズマディスプレイパネルに維持パルスを供給するための複数のエネルギー回収回路と、を備え、
前記複数のエネルギー回収回路は、同じサブフィールドの維持期間に維持パルスを前記プラズマディスプレイパネルにそれぞれ独立的に供給することを特徴とする、
プラズマディスプレイ装置。
【請求項１０】
前記複数のエネルギー回収回路は、２つであることを特徴とする請求項９記載のプラズマディスプレイ装置。
【請求項１１】
前記複数のエネルギー回収回路は、第１のエネルギー回収回路と第２のエネルギー回収回路とよりなり、
前記第１のエネルギー回収回路は、サブフィールドの維持期間に奇数番目の維持駆動パルスを前記プラズマディスプレイパネルに供給し、
前記第２のエネルギー回収回路は、当該サブフィールドの維持期間に偶数番目の維持駆動パルスを前記プラズマディスプレイパネルに供給することを特徴とする、
請求項１０記載のプラズマディスプレイ装置。
【請求項１２】
前記第１のエネルギー回収回路から前記プラズマディスプレイパネルへの維持駆動パルスの入力端、および前記第２のエネルギー回収回路から前記プラズマディスプレイパネルへの維持駆動パルスの入力端は、互いに共通接続されて前記プラズマディスプレイパネルに接続されることを特徴とする、請求項１１記載のプラズマディスプレイ装置。
【請求項１３】
前記エネルギー回収回路は、
前記プラズマディスプレイパネルにエネルギーを供給及び回収するためのエネルギー供給／回収部と、
前記プラズマディスプレイパネルに維持電圧及びグランドレベルを供給する維持電圧源と第３及び第４のスイッチ群とを含む維持電圧源部と、
を有することを特徴とする請求項９記載のプラズマディスプレイ装置。
【請求項１４】
前記第３及び第４のスイッチ群は、前記プラズマディスプレイパネルと前記エネルギー供給／回収部との間に並列接続されることを特徴とする、請求項１３記載のプラズマディスプレイ装置。
【請求項１５】
前記エネルギー供給／回収部は、
前記プラズマディスプレイパネルにソース電圧源に蓄積されているエネルギーを共振により供給及び回収するためのインダクタと、
前記インダクタを介して前記プラズマディスプレイパネルにエネルギーが供給及び回収されるように切り換え動作を行う第１及び第２のスイッチ群と、
を有することを特徴とする請求項１３記載のプラズマディスプレイ装置。
【請求項１６】
前記第１及び第２のスイッチ群は、前記ソース電圧源とインダクタとの間に並列接続されることを特徴とする、請求項１５記載のプラズマディスプレイ装置。
【請求項１７】
サブフィールドの組み合わせにより画像を表示するプラズマディスプレイ装置の駆動方法において、
前記サブフィールドのうち異なるサブフィールドの維持期間に維持パルスをプラズマディスプレイパネルにそれぞれ独立的に供給することを特徴とするプラズマディスプレイ装置の駆動方法。
【発明の詳細な説明】
【技術分野】
【０００１】
本発明は、プラズマディスプレイ装置及びその駆動方法に関する。
【背景技術】
【０００２】
一般に、プラズマディスプレイパネル（Plasma Display Panel:以下、「ＰＤＰ」という）は、Ｈｅ＋ＸｅまたはＮｅ＋Ｘｅなどの不活性混合ガスの放電時に発生する１４７ｎｍの紫外線によって蛍光体を発光させることにより、文字またはグラフィックを含む画像を表示する。
【０００３】
図１は、従来の３電極交流面放電型ＰＤＰの構造を示す斜視図である。
【０００４】
図１を参照すれば，３電極交流面放電型ＰＤＰは、上部基板１０上に形成された走査／維持電極１１及び維持電極１２と、下部基板２０上に形成されたアドレス電極２２と、を備える。走査／維持電極１１と共通維持電極１２のそれぞれは、透明電極１１ａ，１２ａを備えており、透明電極１１ａ，１２ａは、例えばインジウムスズ酸化物(Indium-Tin-Oxide：ＩＴＯ)よりなる。走査／維持電極１１と共通維持電極１２のそれぞれには抵抗を減らすための金属バス電極１１ｂ，１２ｂが形成される。走査／維持電極１１と共通維持電極１２が形成された上部基板１０には上部誘電体層１３ａと保護膜１４が積層される。上部誘電体層１３ａにはプラズマ放電時に発生する壁電荷が蓄積される。保護膜１４は、プラズマ放電時に発生するスパッタリングによる上部誘電体層１３ａの損傷を防止すると共に、２次電子の放出効率を高める。保護膜１４は通常酸化マグネシウム（ＭｇＯ）よりなる。
【０００５】
一方、アドレス電極２２が形成された下部基板２０上には下部誘電体層１３ｂ、隔壁２１が形成され、下部誘電体層１３ｂと隔壁２１の表面には蛍光体層２３が塗布される。アドレス電極２２は走査／維持電極１１及び共通維持電極１２と交差するように形成される。隔壁２１はアドレス電極２２と並んで形成され、放電によって生成された紫外線及び可視光が隣接する放電セルに漏洩することを防止する。蛍光体層２３は、プラズマ放電時に発生する紫外線により励起され、赤色、緑または青色のいずれかの一つの可視光線を発生させる。上／下部基板１０，２０と隔壁２１との間に設けられた放電セルの放電空間には、放電のためのＨｅ＋ＸｅまたはＮｅ＋ＸｅまたはＨｅ＋Ｎｅ＋Ｘｅなどの不活性混合ガスが注入される。このような構造を有する従来のＰＤＰの駆動装置を説明すると、次の図２のようになる。
【０００６】
図２は、従来の交流面放電型ＰＤＰの駆動装置を示す図である。
【０００７】
図２を参照すれば、従来の交流面放電型ＰＤＰの駆動装置は、ｍ×ｎ個の放電セル１が走査／維持電極線Ｙ１〜Ｙｍ、共通維持電極線Ｚ１〜Ｚｍ及びアドレス電極線Ｘ１〜Ｘｎと接続されるようにマトリックス状に配置されたＰＤＰ１００と、走査／維持電極線Ｙ１〜Ｙｍを駆動するための走査／維持駆動部１０２と、共通維持電極線Ｚ１〜Ｚｍを駆動するための共通維持駆動部１０４と、アドレス電極線Ｘ１〜Ｘｎを駆動するためのデータ駆動部１０６と、を備える。走査／維持駆動部１０２は、走査／維持電極線Ｙ１〜Ｙｍに走査パルスを順次に供給することにより、放電セル１をライン単位で順次に走査するとともに、維持パルスを供給することでｍ×ｎ個の放電セル１のそれぞれにおける放電を持続させる。共通維持駆動部１０４は、全共通維持電極線Ｚ１〜Ｚｍに維持パルスを供給する。アドレス駆動部１０６は、走査パルスに同期するように映像データをアドレス電極線Ｘ１〜Ｘｎに供給する。
【０００８】
一方、上述の如く駆動される交流面放電型ＰＤＰは、維持放電において数百ボルト以上の高圧を必要とする。ゆえに、維持放電に必要な駆動電力を最小化するために走査／維持駆動部１０２及び共通維持駆動部１０４にエネルギー回収回路をさらに備える。エネルギー回収回路は、走査／維持電極線Ｙ及び共通維持電極線Ｚに充電される電圧を回収し、それを次回の放電時の駆動電圧として再利用する。
【０００９】
図３は、従来の維持放電電圧を回収するために設けられるエネルギー回収回路を示す図である。
【００１０】
図３を参照すれば、従来のエネルギー回収回路は、エネルギー供給／回収部１０８と、維持電圧源部１１０と、を含む。エネルギー供給／回収部１０８は、パネルキャパシタＣｐとソースキャパシタＣｓとの間に接続されたインダクタＬと、ソースキャパシタＣｓとインダクタＬとの間に並列接続された第１及び第２のスィッチＳ１，Ｓ２と、を備える。また、第１及び第２のスィッチの各端に第１のダイオードと第２のダイオードが備えられる。維持電圧源部１１０は、パネルキャパシタＣｐとインダクタＬとの間に並列接続された第３及び第４のスィッチＳ３，Ｓ４で構成される。パネルキャパシタＣｐは、走査／維持電極線Ｙと共通維持電極線Ｚ間に形成される静電容量を等価的に示す。第２のスィッチＳ３は維持電圧源Ｖｓに接続され、第４のスィッチＳ４は基底電圧源ＧＮＤに接続される。ソースキャパシタＣｓは、維持放電時にパネルキャパシタＣｐに充電される電圧を回収して充電すると共に、充電された電圧をパネルキャパシタＣｐに再供給する。ソースキャパシタＣｓは維持電圧Ｖｓの半分値にあたるＶｓ／２の電圧を充電できる十分な静電容量を有する。インダクタＬはパネルキャパシタＣｐとともに共振回路を形成する。第１の〜第４のスィッチＳ１〜Ｓ４は電流の流れを制御する。共通維持駆動部１０４に形成されるエネルギー回収回路は、パネルキャパシタＣｐを中心に走査／維持駆動部１０２に対称に形成される。
【００１１】
一方、従来の維持放電電圧を回収するために設けられるエネルギー回収回路の実際の構成においては、維持電圧源部１１０が、パネルキャパシタＣｐとインダクタＬとの間に、パネルキャパシタＣｐ及びインダクタＬに並列に接続された第３及び第４のスィッチＳ３，Ｓ４のみで構成されず、次の図４のように並列になっている複数個の切り換え素子で構成される。
【００１２】
図４は、従来の維持放電電圧を回収するために設けられる実際のエネルギー回収回路を示す図であり、図５は、図４に示すエネルギー回収回路における切り換え素子の並列接続構造を示す図である。図４の例では、第３のスイッチは、互いに並列に接続されるスイッチＳ３１，Ｓ３２，・・・，Ｓ３ｎから構成され、第４のスイッチは、互いに並列に接続されるスイッチＳ４１，Ｓ４２，・・・Ｓ４ｎから構成される。図５中、Ｇａｔｅ  ｄｒｉｖｅｒは、スイッチＱａ及びＱｂのゲート電圧（駆動電圧）を供給する回路である。スイッチＱａ及びＱｂは、スイッチＳ３１，Ｓ３２，・・・，Ｓ３ｎ、または、スイッチＳ４１，Ｓ４２，・・・Ｓ４ｎの何れかのスイッチ群において、互いに接続される２つのスイッチを例示的に示している。図５に示すように、各スイッチ群のスイッチは共通のゲート信号で駆動される。例えば、スイッチＳ３１，Ｓ３２，・・・，Ｓ３ｎは共通のゲート信号で駆動され、スイッチＳ４１，Ｓ４２，・・・Ｓ４ｎは共通のゲート信号で駆動される。
【００１３】
図４及び図５を参照すれば、実際のエネルギー回収回路は、十分な電流供給により維持放電を発生させるための多数の切り換え素子が維持電圧源部１１０に具備される。多数の切り換え素子（Ｓ３１，．．．，Ｓ３ｎ，Ｓ４１，．．．，Ｓ４ｎ）は、ほとんど小電流容量が有する切り換え素子であって、パネルキャパシタＣｐとインダクタＬとの間に並列接続される。即ち、スイッチＳ３１，Ｓ３２，・・・，Ｓ３ｎは、複数のスイッチで維持電圧源Ｖｓとノードｎとの間に流れる電流を分担しており、スイッチＳ４１，Ｓ４２，・・・Ｓ４ｎは、複数のスイッチでノードｎと基底電圧源ＧＮＤとの間に流れる電流を分担している。
このように小電流容量を有する多数の切り換え素子（Ｓ３１，．．．，Ｓ３ｎ，Ｓ４１，．．．，Ｓ４ｎ）は、大電流容量を有する単一ユニットの切り換え素子よりも抵抗を軽減することができ、さらに部品点数の増加に伴い発熱特性の向上を図ることができる。
【００１４】
しかし、プラズマディスプレイ装置の大型化につれて電源切り換え素子数も増加することになり、このため、いくら部品のエラーが少ない、例えば抵抗を軽減でき、各部品が分担する発熱量が少ないと言っても、並列構成部品点数の増加に伴いエラーも累積され、その結果、部品への発熱偏重、電力消費の増加、部品の破損などの問題が発生する。
【発明の開示】
【発明が解決しようとする課題】
【００１５】
したがって、本発明は、かかる従来の問題点及び欠点を解決するためのもので、プラズマディスプレイパネルの駆動時に切り換え素子の発熱特性の不均衡を改善させられるプラズマディスプレイ装置及びその駆動方法を提供することをその目的とする。
【００１６】
また、本発明は、プラズマディスプレイパネルの駆動時に切り換え素子の部品のバラツキによる電流特性の不均衡を改善させられるプラズマディスプレイ装置及びその駆動方法を提供することをその目的とする。
【課題を解決するための手段】
【００１７】
本発明に係るプラズマディスプレイ装置は、画像が表示されるプラズマディスプレイパネルと、前記プラズマディスプレイパネルに維持パルスを供給するための複数のエネルギー回収回路と、を含み、前記複数のエネルギー回収回路は、異なるサブフィールドの維持期間に維持パルスを前記プラズマディスプレイパネルにそれぞれ独立的に供給することを特徴とする。
【００１８】
本発明に係る他のプラズマディスプレイ装置は、画像が表示されるプラズマディスプレイパネルと、前記プラズマディスプレイパネルに維持パルスを供給するための複数のエネルギー回収回路と、を含み、前記複数のエネルギー回収回路は、同じサブフィールドの維持期間に維持パルスを前記プラズマディスプレイパネルにそれぞれ独立的に供給することを特徴とする。
【００１９】
本発明に係るプラズマディスプレイ装置の駆動方法は、サブフィールドのうち異なるサブフィールドの維持期間に維持パルスをプラズマディスプレイパネルにそれぞれ独立的に供給することを特徴とする。
【発明の効果】
【００２０】
本発明は、プラズマディスプレイパネルに供給される維持パルスの電流位相差を防止して電流の相殺現象を防止することができる。
【００２１】
また、本発明は、プラズマディスプレイパネルの駆動時に切り換え素子の部品のバラツキ及び駆動特性などの差による電流及び発熱特性の不均衡を改善することができる。
【発明を実施するための最良の形態】
【００２２】
以下、添付図面に基づき、本発明の好適な実施例を詳細に説明する。
【００２３】
本発明に係るプラズマディスプレイ装置は、画像が表示されるプラズマディスプレイパネルと、プラズマディスプレイパネルに維持パルスを供給するための複数のエネルギー回収回路と、を備え、複数のエネルギー回収回路は、異なるサブフィールドの維持期間に維持パルスをプラズマディスプレイパネルにそれぞれ独立的に供給することを特徴とする。
【００２４】
エネルギー回収回路は、第１のエネルギー回収回路と第２のエネルギー回収回路とよりなり、第１のエネルギー回収回路は、奇数番目のサブフィールドの維持期間に維持駆動パルスをプラズマディスプレイパネルに供給し、第２のエネルギー回収回路は、偶数番目のサブフィールドの維持期間に維持駆動パルスをプラズマディスプレイパネルに供給することを特徴とする。
【００２５】
本発明に係る他のプラズマディスプレイ装置は、画像が表示されるプラズマディスプレイパネルと、プラズマディスプレイパネルに維持パルスを供給するための複数のエネルギー回収回路と、を含み、複数のエネルギー回収回路は、同じサブフィールドの維持期間に維持パルスをプラズマディスプレイパネルにそれぞれ独立的に供給することを特徴とする。
【００２６】
複数のエネルギー回収回路は、２つであることを特徴とする。
【００２７】
複数のエネルギー回収回路は、第１のエネルギー回収回路と第２のエネルギー回収回路とよりなり、第１のエネルギー回収回路は、サブフィールドの維持期間に奇数番目の維持駆動パルスを前記プラズマディスプレイパネルに供給し、第２のエネルギー回収回路は、サブフィールドの維持期間に偶数番目の維持駆動パルスをプラズマディスプレイパネルに供給することを特徴とする。
【００２８】
第１のエネルギー回収回路から前記プラズマディスプレイパネルへの維持駆動パルスの入力端、および第２のエネルギー回収回路の維持駆動パルスから前記プラズマディスプレイパネルへの入力端は、互いに共通接続されて前記プラズマディスプレイパネルに接続されることを特徴とする。
【００２９】
エネルギー回収回路は、プラズマディスプレイパネルにエネルギーを供給及び回収するためのエネルギー供給／回収部と、プラズマディスプレイパネルに維持電圧及びグランドレベルを供給する維持電圧源と第３及び第４のスイッチ群を含む維持電圧源部と、を有することを特徴とする。
【００３０】
第３及び第４のスイッチ群は、プラズマディスプレイパネルとエネルギー供給／回収部との間に並列接続されることを特徴とする。
【００３１】
エネルギー供給／回収部は、プラズマディスプレイパネルにソース電圧源に蓄積されているエネルギーを共振により供給及び回収するためのインダクタと、インダクタを介してプラズマディスプレイパネルにエネルギーが供給及び回収されるように切り換え動作を行う第１及び第２のスイッチ群と、を含むことを特徴とする。
【００３２】
第１及び第２のスイッチ群は、ソース電圧源とインダクタとの間に並列接続されることを特徴とする。
【００３３】
本発明に係るプラズマディスプレイ装置の駆動方法は、サブフィールドのうち異なるサブフィールドの維持期間に維持パルスをプラズマディスプレイパネルにそれぞれ独立的に供給することを特徴とする。
【００３４】
以下、本発明による具体的な実施例を添付図を参照して説明する。
【００３５】
〔第１実施例〕
図６は、本発明に係るプラズマディスプレイ装置を示す図である。図６を参照すれば、本発明に係るプラズマディスプレイ装置は、プラズマディスプレイパネル１００と、プラズマディスプレイパネル１００の下部基板（図示せず）に形成されたアドレス電極Ｘ１〜Ｘｍにデータを供給するためのデータ駆動部１２２と、走査電極Ｙ１〜Ｙｎを駆動するための走査駆動部（スキャン駆動部）１２３と、共通電極である維持電極Ｚを駆動するための維持駆動部（サステイン駆動部）１２４と、プラズマディスプレイパネル１００の駆動時にデータ駆動部１２２、走査駆動部１２３、維持駆動部１２４を制御するためのタイミング制御部（タイミングコントロール部）１２１と、それぞれの駆動部１２２，１２３，１２４に必要な駆動電圧を供給するための駆動電圧発生部１２５と、を備える。
【００３６】
プラズマディスプレイパネル１００は、上部基板（図示せず）と下部基板（図示せず）が所定の間隔を開けて配置されており、上部基板には多数の電極、例えば走査電極Ｙ１〜Ｙｎ及び維持電極Ｚが対をなして配設されており、下部基板には走査電極Ｙ１〜Ｙｎ及び維持電極Ｚと交差するアドレス電極Ｘ１〜Ｘｍが配設されている。
【００３７】
データ駆動部１２２には、図示しない逆γ補正回路、誤差拡散回路などによって逆γ補正及び誤差拡散された後、サブフィールドマッピング回路により各サブフィールドにマッピングされたデータが供給される。このようなデータ駆動部１２２は、タイミング制御部１２１からのタイミング制御信号ＣＴＲＸに応答してデータをサンプリングしてラッチし、その後、そのデータをアドレス電極Ｘ１〜Ｘｍに供給する。
【００３８】
走査駆動部１２３は、タイミング制御部１２１の制御下でリセット期間中に立上りランプ波形Ｒａｍｐ−ｕｐと立下りランプ波形Ｒａｍｐ−ｄｏｗｎを走査電極Ｙ１〜Ｙｎに供給する。また、走査駆動部１２３は、タイミング制御部１２１の制御下でアドレス期間中に走査電圧−Ｖｙの走査パルスＳｐを走査電極Ｙ１〜Ｙｎに順次に供給する。また、走査駆動部１２３は、複数のエネルギー回収回路（図示せず）を含み、タイミング制御部１２１の制御下で維持期間中に、維持電圧まで上昇する維持パルスを走査電極Ｙ１〜Ｙｎに供給する。
【００３９】
維持駆動部１２４は、走査駆動部１２３と同様に複数のエネルギー回収回路（図示せず）を含み、タイミング制御部１２１の制御下で維持期間中に維持パルスｓｕｓを維持電極Ｚに供給する。このとき、維持駆動部１２４に含まれた複数のエネルギー回収回路は、走査電極駆動部１２３に含まれた複数のエネルギー回収回路と同じ構造を有し、走査電極駆動部１２３に含まれた複数のエネルギー回収回路と交互に動作する。
【００４０】
タイミング制御部１２１は、垂直／水平同期信号とクロック信号を入力され、リセット期間、アドレス期間、維持期間で各駆動部１２２，１２３，１２４と維持パルス制御部１２６の動作タイミングと同期化を制御するためのタイミング制御信号ＣＴＲＸ，ＣＴＲＹ，ＣＴＲＺを発生し、そのタイミング制御信号ＣＴＲＸ，ＣＴＲＹ，ＣＴＲＺを該当駆動部１２２，１２３，１２４に供給することにより、各駆動部１２２，１２３，１２４を制御する。
【００４１】
データ制御信号ＣＴＲＸには、データをサンプリングするためのサンプリングクロック、ラッチ制御信号、及びエネルギー回収回路と駆動スィッチ素子のＯＮ／ＯＦＦタイムを制御するためのスィッチ制御信号が含まれる。走査制御信号ＣＴＲＹには、走査駆動部１２３内のエネルギー回収回路と駆動スィッチ素子のＯＮ／ＯＦＦタイムを制御するためのスィッチ制御信号が含まれ、維持制御信号ＣＴＲＺには、維持駆動部１２４内のエネルギー回収回路と駆動スィッチ素子のＯＮ／ＯＦＦタイムを制御するためのスィッチ制御信号が含まれる。
【００４２】
駆動電圧発生部１２５は、セットアップ電圧Ｖｓｅｔｕｐ、走査共通電圧Ｖｓｃａｎ−ｃｏｍ、走査電圧−Ｖｙ、維持電圧Ｖｓ、データ電圧Ｖｄなどを発生する。このような駆動電圧は放電ガスの組成や放電セルの構造によって変わることができる。
【００４３】
本発明に係るプラズマディスプレイ装置は、走査駆動部及び維持駆動部が独立的に形成されているが、単一の統合駆動部に形成しても良い。このとき、エネルギー回収回路は単一の統合駆動部に含まれる。
【００４４】
図７は、本発明の第１の実施例に係るプラズマディスプレイ装置のエネルギー回収回路を示す図であり、図８は、本発明の第１の実施例に係るエネルギー回収回路の駆動方法を説明するための図である。
【００４５】
まず、図示していないが、エネルギー回収回路は、走査駆動部あるいは維持駆動部の少なくともどちらか一方に含まれ、複数個で構成される。好ましくは、図７に示すように、複数のエネルギー回収回路は、第１のエネルギー回収回路２００と第２のエネルギー回収回路２００'とよりなる。
【００４６】
第１のエネルギー回収回路２００と第２のエネルギー回収回路２００'は、従来のエネルギー回収回路と同様にそれぞれエネルギー供給／回収部２１０，２１０'と維持電圧源部２２０，２２０'とを含む。
【００４７】
第１のエネルギー回収回路２００のエネルギー供給／回収部２１０は、プラズマディスプレイパネルであるパネルキャパシタＣｐとソース電圧源であるソースキャパシタＣ１との間に接続されたインダクタＬ１と、前記ソースキャパシタＣ１とインダクタＬ１との間にソースキャパシタＣ１とインダクタＬ１に対して並列接続された第１のスィッチＳ１及び第１のダイオードＤ１と、第２のスィッチＳ２及び第２のダイオードＤ２と、を備える。第１のスィッチＳ１と第１のダイオードＤ１とは直列接続され、第２のスィッチＳ２と第２のダイオードＤ２とは直列接続される。ソースキャパシタＣ１のそれぞれは、維持電圧Ｖｓの半分値にあたるＶｓ／２の電圧を充電できる静電容量を有し、維持放電時にパネルキャパシタＣｐの各領域に充電された電圧を回収して充電する共に、充電された電圧をパネルキャパシタＣｐの各領域に再供給する。このとき、インダクタＬ１はパネルキャパシタＣｐと共に共振回路を形成する。
【００４８】
また、第１のエネルギー回収回路２００の維持電圧源部２２０は、維持電圧源Ｖｓ及び第３のスィッチ群（Ｓ３１，Ｓ３２，．．．，Ｓ３ｎ）と第４のスィッチ群（Ｓ４１，Ｓ４２，．．．，Ｓ４ｎ）を含み、前記第３のスィッチ群（Ｓ３１，Ｓ３２，．．．，Ｓ３ｎ）と第４のスィッチ群（Ｓ４１，Ｓ４２，．．．，Ｓ４ｎ）は、それぞれ、プラズマディスプレイパネルであるパネルキャパシタＣｐとインダクタＬ１との間にパネルキャパシタＣｐとインダクタＬ１に対して並列接続される。前記第３のスィッチ群（Ｓ３１，Ｓ３２，．．．，Ｓ３ｎ）に含まれる各スイッチは互いに並列に接続され、第４のスィッチ群（Ｓ４１，Ｓ４２，．．．，Ｓ４ｎ）に含まれる各スイッチは互いに並列に接続される。
また、第３のスィッチ群（Ｓ３１，Ｓ３２、．．．，Ｓ３ｎ）は維持電圧源Ｖｓに接続され、第４のスィッチ群（Ｓ４１，Ｓ４２、．．．，Ｓ４ｎ）は基底電圧源ＧＮＤに接続される。
【００４９】
また、第２のエネルギー回収回路２００'のエネルギー供給／回収部２１０'及び維持電圧源部２２０'は、第１のエネルギー回収回路２００のエネルギー供給／回収部２１０及び維持電圧源部２２０と同じ構造を有する。
【００５０】
本発明の第１の実施例に係るエネルギー回収回路は、図８に示すように、プラズマディスプレイ装置の駆動時、維持期間中にプラズマディスプレイパネルに維持パルスを供給する。このとき、第１のエネルギー回収回路２００と第２のエネルギー回収回路２００'によって供給される維持パルスは、駆動パルスのタイミングを調節するタイミング制御部Ａ，ＢによってプラズマディスプレイパネルＣｐにそれぞれ独立的に供給される。すなわち、第１のエネルギー回収回路２００と第２のエネルギー回収回路２００'は、プラズマディスプレイパネルの駆動時、異なるサブフィールドの維持期間に維持駆動パルスをプラズマディスプレイパネルにそれぞれ独立的に供給する。
【００５１】
具体的には、第１のエネルギー回収回路は、奇数番目（ＳＦ１，ＳＦ３，ＳＦ５．．．）のサブフィールドの維持期間に維持駆動パルスをプラズマディスプレイパネルの走査電極Ｙや維持電極Ｚに供給し、第２のエネルギー回収回路は、偶数番目（ＳＦ２，ＳＦ４，ＳＦ６．．．）のサブフィールドの維持期間に維持駆動パルスをプラズマディスプレイパネルの走査電極Ｙや維持電極Ｚに供給する。
【００５２】
〔第２実施例〕
図９は、本発明の第２の実施例に係るプラズマディスプレイ装置のエネルギー回収回路を示す図であり、図１０は、本発明の第２の実施例に係るエネルギー回収回路の駆動方法を説明するための図である。
【００５３】
本発明の第２の実施例に係るエネルギー回収回路は、第１の実施例と同様にして、走査駆動部あるいは維持駆動部の少なくともどちらか一方に含まれ、複数個で構成される。好ましくは、図９に示すように、複数のエネルギー回収回路は第１のエネルギー回収回路３００と第２のエネルギー回収回路３００'とよりなる。
【００５４】
それぞれのエネルギー回収回路３００，３００’は、本発明の第１の実施例に係るエネルギー回収回路２００，２００’の構成と同様であるため、その説明は省略する。
【００５５】
本発明の第２の実施例に係るエネルギー回収回路３００，３００'は、図１０に示すようにプラズマディスプレイ装置の駆動時に維持期間中にプラズマディスプレイパネルに維持パルスを供給する。このとき、第１のエネルギー回収回路３００と第２のエネルギー回収回路３００'によって供給される維持パルスは、駆動パルスのタイミングを調節するタイミング制御部Ａ’，Ｂ’によってプラズマディスプレイパネルＣｐにそれぞれ独立的に供給される。すなわち、第１のエネルギー回収回路３００と第２のエネルギー回収回路３００'は、プラズマディスプレイ装置の駆動時、同じサブフィールドの維持期間に維持駆動パルスをプラズマディスプレイパネルにそれぞれ独立的に供給する。
【００５６】
具体的には、第１のエネルギー回収回路３００は、サブフィールドの維持期間に奇数番目（ｓｕｓ１，ｓｕｓ３，ｓｕｓ５．．．）の維持駆動パルスをプラズマディスプレイパネルの走査電極Ｙや維持電極Ｚに供給し、第２のエネルギー回収回路３００'は、第１のエネルギー回収回路が動作する同じサブフィールドの維持期間に偶数番目（ｓｕｓ２，ｓｕｓ４，ｓｕｓ６．．．）の維持駆動パルスをプラズマディスプレイパネルの走査電極Ｙまたは維持電極Ｚに供給する。
【００５７】
〔作用効果〕
このように、本発明の第１及び第２の実施例に係るプラズマディスプレイ装置の駆動時に、複数のエネルギー回収回路がプラズマディスプレイパネルにエネルギーをそれぞれ独立的に供給することにより、従来のプラズマディスプレイパネルの全体に単一のエネルギー回収回路を介して維持パルスを供給することで生じる切り換え素子の部品のバラツキ及び不均衡な電流供給のような駆動特性を改善し、さらに維持パルス供給による駆動マージンを向上させることができる。
【００５８】
また、本発明の第１及び第２の実施例に係るプラズマディスプレイ装置は、プラズマディスプレイパネルＣｐへの維持パルスの出力ノードＰ、すなわち第１のエネルギー回収回路（２００，３００）からプラズマディスプレイパネルへの維持駆動パルスの入力端、および第２のエネルギー回収回路（２００'，３００'）からプラズマディスプレイパネルへの維持駆動パルスの入力端が、互いに共通接続される。言い換えれば、第１のエネルギー回収回路（２００，３００）の維持駆動パルスの出力端、および第２のエネルギー回収回路（２００'，３００'）の維持駆動パルスの出力端が、互いに共通接続される。これにより、第１のエネルギー回収回路と第２のエネルギー回収回路から供給される電流の位相差が原因で発生する電流の相殺現象を防止することができる。
【図面の簡単な説明】
【００５９】
【図１】従来の３電極交流面放電型ＰＤＰの構造を示す斜視図である。
【図２】従来の交流面放電型ＰＤＰの駆動装置を示す図である。
【図３】従来の維持放電電圧を回収するために設けられるエネルギー回収回路を示す図である。
【図４】従来の維持放電電圧を回収するために設けられる実際エネルギー回収回路を示す図である。
【図５】図４に示すエネルギー回収回路における切り換え素子の並列接続構造を示す図である。
【図６】本発明に係るプラズマディスプレイ装置を示す図である。
【図７】本発明の第１の実施例に係るプラズマディスプレイ装置のエネルギー回収回路を示す図である。
【図８】本発明の第１の実施例に係るエネルギー回収回路の駆動方法を説明するための図である。
【図９】本発明の第２の実施例に係るプラズマディスプレイ装置のエネルギー回収回路を示す図である。
【図１０】本発明の第２の実施例に係るエネルギー回収回路の駆動方法を説明するための図である。
【符号の説明】
【００６０】
２００，３００  第１のエネルギー回収回路
２００’，３００’  第２のエネルギー回収回路
【図１】
2006189829.tif 000003
【図３】
2006189829.tif 000004
【図４】
2006189829.tif 000005
【図２】
2006189829.tif 000006
【図５】
2006189829.tif 000007
【図６】
2006189829.tif 000008
【図７】
2006189829.tif 000009
【図８】
2006189829.tif 000010
【図９】
2006189829.tif 000011
【図１０】
2006189829.tif 000012